(57)【要約】  【課題】  回転子が組み込まれたカム筒を治具などに固定し、前記回転子の上方から頭冠止めを回転子に押し付けて圧入するが、この時、回転子に部分的に形成された突起、或いは、カム筒に部分的に形成された段部が、それぞれカム筒或いは回転子に部分的に押し付けられた状態で当接する。この部分的な当接が故に、前記回転子がカム筒に対して曲がった状態となり、この曲った状態で前記頭冠止めが回転子に圧入されてしまうのである。  【解決手段】  カム筒に回転子が回転可能に配置され、その回転子の回転によって前後動する摺動子が前記回転子の前方に配置され、また、その回転子の後部には圧入部材が配置された回転繰り出し式の筆記具であって、前記カム筒と回転子の相対的な回転範囲を規制する規制部位を各々設けると共に、前記カム筒と回転子の前後の方向における移動を規制する円周状の段部を各々設けた回転繰り出し式筆記具。【選択図】  図１
2010194721.tif 000002
【特許請求の範囲】
【請求項１】
カム筒に回転子が回転可能に配置され、その回転子の回転によって前後動する摺動子が前記回転子の前方に配置され、また、その回転子の後部には圧入部材が配置された回転繰り出し式の筆記具であって、前記カム筒と回転子の相対的な回転範囲を規制する規制部位を各々設けると共に、前記カム筒と回転子の前後の方向における移動を規制する円周状の段部を各々設けた回転繰り出し式筆記具。
【請求項２】
前記カム筒、或いは、摺動子に設ける段部を同一円周上であって、少なくとも対向する２個所に形成し、且つ、各々の段部が常に当接し得る請求項１に記載の回転繰出し式筆記具。
【発明の詳細な説明】
【技術分野】
【０００１】
本発明は、カム筒に回転子が回転可能に配置され、その回転子の回転によって前後動する摺動子が前記回転子の前方に配置され、また、その回転子の後部には圧入部材が配置された回転繰り出し式の筆記具に関するものである。
【背景技術】
【０００２】
１例として、カム筒内に回転子を回動自在に嵌合し、該回転子に摺動子を摺動自在に嵌合し、該摺動子の係合突起を回転子のカム溝により摺動し、筆記体を繰り出すようにした回転繰り出し式筆記具において、カム筒の後端に突起を設け、又、回転子の後方部に段部を形成するか、回転子の後方部に突起を設け、又、カム筒の後端に段部を形成し、回転子を回動し摺動子に連設されたリフィル先端のペン先が突出状態にあるとき、前記突起が段部と係止し得る回転繰り出し式筆記具が知られている。
そして、回転子の後部には、頭冠止めが圧入固定されている。
【特許文献１】特開平１０−８１０９７号公報。
【発明の開示】
【発明が解決しようとする課題】
【０００３】
上記従来の技術にあっては、回転子にオーバートルクがかかった場合、回転子の突起とカム筒の段部との係合によって、回転子の前端部や摺動子の係合突起の破損が防止されると言った優れた効果を有している。
しかしながら、頭冠止めを回転子の後部に圧入する工程で、些か、改善の余地が残されていた。
即ち、カム筒に回転子を挿入し、次いで、頭冠止めをその回転子に圧入・固定するのであるが、その圧入過程で頭冠止めが回転子に対して曲がった状態で挿入され、固定されてしまうのである。
具体的に説明すると、回転子が組み込まれたカム筒を治具などに固定し、前記回転子の上方から頭冠止めを回転子に押し付けて圧入するが、この時、回転子に部分的に形成された突起、或いは、カム筒に部分的に形成された段部が、それぞれカム筒或いは回転子に部分的に押し付けられた状態で当接する。この部分的な当接が故に、前記回転子がカム筒に対して曲がった状態となり、この曲った状態で前記頭冠止めが回転子に圧入されてしまうのである。
【課題を解決するための手段】
【０００４】
本発明は、カム筒に回転子が回転可能に配置され、その回転子の回転によって前後動する摺動子が前記回転子の前方に配置され、また、その回転子の後部には圧入部材が配置された回転繰り出し式の筆記具であって、前記カム筒と回転子の相対的な回転範囲を規制する規制部位を各々設けると共に、前記カム筒と回転子の前後の方向における移動を規制する円周状の段部を各々設けたことを要旨とする。
【発明の効果】
【０００５】
本発明は、カム筒に回転子が回転可能に配置され、その回転子の回転によって前後動する摺動子が前記回転子の前方に配置され、また、その回転子の後部には圧入部材が配置された回転繰り出し式の筆記具であって、前記カム筒と回転子の相対的な回転範囲を規制する規制部位を各々設けると共に、前記カム筒と回転子の前後の方向における移動を規制する円周状の段部を各々設けたので、圧入部材を回転子に対して正確に配置することができる。
【図面の簡単な説明】
【０００６】
【図１】第１例を示す縦断面図。
【図２】図１の要部拡大断面図。
【図３】頭冠止めと回転子、カム筒、摺動子の組み立て状態を示す縦半断面図。
【図４】頭冠止めと回転子、カム筒、摺動子の分解斜視図。
【図５】回転子の外観斜視図。
【図６】カム筒の外観斜視図。
【図７】カム面の変形例を示す正面図。
【図８】第２例を示す回転子の正面図。
【図９】第２例を示すカム筒の外観斜視図。
【図１０】第３例を示す回転子の正面図。
【図１１】第３例を示すカム筒の外観斜視図。
【発明を実施するための最良の形態】
【０００７】
軸筒１は、金属材質からなる前軸２と後軸３などから構成されているが、その前軸２と後軸３とは相対的に回転が可能なものとなっている。また、前記軸筒の内部には、ボールペンなどの筆記体４が前後動可能に配置されており、前記軸筒１の前端開口部５から出没が可能なものとなっている。尚、その筆記体４は、前軸２の前方内面に配置されたコイルスプリングなどの弾撥部材６によって、常に、後方に向けて付勢されている。また、参照符号７は、前軸３の後部に圧入・固定された金属材質からなる継ぎ手部材であって、前軸３から露出した部分の内周面には、雌ねじ８が形成されている。
【０００８】
一方、前記後軸３の前方には金属材質からなる飾りリング９が圧入や接着と言った手段で固定されており、その内周面にはポリアセタールやナイロンなどの樹脂材質からなる筒状のリング部材１０が固定されている。そして、そのリング部材１０の内面には、円周状の突起１１が形成されており、その突起１１が後軸３と前軸２とを相対的に回転させた際の回転摺動部となっている。
また、後軸３の後部には、内面鍔部１２が形成されており、その内面鍔部１２には頭冠止め１３の外面鍔部１４が当接している。そして、その頭冠止め１３の後部、即ち、後軸の後端から露出した部分には雄ねじ１５が形成されており、その雄ねじ１５には、頭冠１６が強固に螺合している。また、それら頭冠止め１３と頭冠１６との間には、クリップ１７の基部１８が挟着されている。即ち、頭冠止め１３と頭冠１６によって、その頭冠止め１３と頭冠１６とは勿論、後軸３の内面鍔部１２とクリップ１７の基部１８を強固に連結しているのである。
前記頭冠止め１３の下方には、ポリアセタールなどの樹脂材質からなる回転子１９が圧入・固定されている。そして、その回転子１９には、その回転子１９の前方部を覆うように金属材質からなるカム筒２０が囲繞している。そのカム筒２０の前方の外周面には、前記継ぎ手部材７の雌ねじ８と螺合する雄ねじ２１が形成されており、それらの螺合によって、前記前軸２と後軸３が着脱自在に連結・固定されている。また、そのカム筒２０の内側には、摺動子２２が前後動自在に配置されており、その前端部は前記筆記体４の後端部に当接している。つまり、その摺動子２２が前後動することによって、筆記体４も前後動し、その先端が前端開口部５から出没する。
【０００９】
次に、頭冠止め１３について詳述する。頭冠止め１３は前方に形成されたローレット部１３ａと前記外面鍔部１４を介して後方の雄ねじ１５から構成されているが、外面鍔部１４と雄ねじ１５との間には、横断面形状が小判形をした膨出部１３ｃが形成されている。この小判形をした膨出部１３ｃが、前記後軸３の内面鍔部１２に形成された小判型の貫通孔に係合することによって、頭冠止め１３と後軸３との相対的な回転が防止されているのである。
また、ローレット部１３ａの外面の縦方向の４箇所には、非ローレット部となる平面部１３ｄが形成されている。
【００１０】
次に、前記回転子１９について詳述する。回転子１９は前部筒状部２３と後部筒状部２４から構成されており、その前部筒状部２３にはカム面２５が形成されている。そのカム面２５には、凹部２６が形成されているが、その凹部２６の深さＴは、図示の形状に限定されることはなく、浅くても良い。例えば、図７に示すように、僅かな凹部２６ａとしても良い。筆記体４を繰り出す際、その筆記体４の最前進位置からの後退量が少なく、違和感のない出没動作が得られる。また、前部筒状部２３の内側には、前記摺動子２２の貫通孔に嵌り込むガイド棒２７が垂下した状態で形成されている。符号２８は前記カム筒２０の内面中間部に形成された円周段部２９と嵌合する突起であって、その嵌合作用によって、回転子１９はカム筒２０に対して前後動は不能であるが、回転は可能に連結されている。
一方、後部筒状部２４は、前記前部筒状部２３よりも大径な中間筒状部３０と、その中間筒状部３０よりも大径な大径筒状部３１とから構成されている。これによって、前部筒状部２３と中間筒状部３０との連結部分には第１段部３３が形成され、また、中間筒状部３０と大径筒状部３１との連結部分には、第２段部３４が構成される。尚、大径筒状部３１には、約９０度の範囲に渡って切欠部３５が形成されている。
前記後部筒状部２３の内側には、前記頭冠止め１３のローレット部１３ａが圧入する貫通孔２３ａが形成されているが、その貫通孔２３ａには、平面部２３ｂが４箇所放射状に形成されている。この平面部２３ｂと前記頭冠止め１３の平面部１３ｄとが合致し、圧入・固定されるのである。即ち、これらの平面部の圧入によって頭冠止め１３と回転子１９との相対的な回転が防止されるのである。
【００１１】
次にカム筒２０について詳述する。カム筒２０の内面後部には、拡径部３６が形成されており、その拡径部３６とカム筒２０の内面とによって第１段部３７が構成されている。また、カム筒２０の後端面には、約７０の範囲に渡って円弧状の突起３８が形成されており、前記回転子１９の大径筒状部３１が当接し得るようになっている。即ち、カム筒２０の後端部に形成される非円弧部３９の範囲と、前記回転子１９の切欠部３５の範囲によって、回転子１９のカム筒２０に対する回転範囲が規制されるのである。
さらに、カム筒２０の内面中間部には、前記回転子２３の前方外面に形成された突起２８と嵌合する円周段部２９が形成されている。符号４０は、カム筒２０の側面に形成された摺動溝であって、その摺動溝４０は縦方向に形成されている。
【００１２】
次に摺動子２２について詳述する。摺動子２２の下方には、大径部４１が形成されており、また、その大径部４１から上方に向けて突起４２が形成されているそして、その突起４２の後方には、前記カム筒２０の摺動溝４０に係合し摺動する膨出部４３が形成されていると共に、頂部には、前記回転子１９のカム面２５に摺接する円弧部４４が形成されている。
また、摺動子２２の後端部には、スリット４５が対向した位置に形成されており、その摺動子２２の後端内周面が前記回転子１９のガイド棒２７の外周面に対して弾性力を付与している。符号４６は、摺動子２２の前端面に形成した溝であって、その溝４６によって筆記体４の後端面との間に僅かながらの隙間を形成いている。
【００１３】
次に、前記頭冠止め１３と回転子１９、カム筒２０、並びに、摺動子２２の組み立て方法について説明する。最初に、カム筒２０の後部から回転子１９を挿入し、その回転子１９の突起２８をカム筒２０の円周段部２９に係合させる。この回転子１９の挿入過程で前部筒状部２３は、中心方向に向かって弾性変形するが、突起２８が円周段部２９に達した瞬間に自らの弾性によって復帰し、その円周段部１９に係合する。また、この回転子１９をカム筒２０に組み付けることによって、回転子２０の切欠部３５によって形成された大径部３１の段部３１ａとカム筒２０の円弧状の突起３８が同一円周上に位置するようになる。
次いで、頭冠止め１３を回転子１９に圧入・固定する。この時、回転子１９が装着されたカム筒２０を治具に載置・固定するが、回転子１９が上方に位置するように載置する。そして、頭冠止め１３を回転子１９の貫通孔２３ａに挿入すると共に、力強く圧入する。この際、回転子１９はカム筒２０を強く押し付けることになるが、回転子１９の円周状の第１段部３３がカム筒２０の円周状の第１段部３７を押し付けるため、即ち、全周に渡って互いが相対的に押し付け合うため、回転子１９とカム筒２０との同軸度が保たれることになり、これによって、傾くことなく正確に頭冠止め１３が回転子１９に圧入・固定されることになる。
最後に、カム筒２０の前方から摺動子２２を装着するが、この時、摺動子２２の突起４２に形成された膨出部４４がカム筒２０の摺動溝４０に係合するように装着する。
【００１４】
尚、本例においては、回転子１９の外面とカム筒２０の内面との間と、回転子１９のガイド棒２７の外面と摺動子２２の内面との間には、比較的粘度の高いグリース状の潤滑剤が介在されている。互いが擦れ合う音を防止すると共に、ある程度の回転抵抗を付与することによって高級感を発生させているのである。ちなみに、本例における軸筒１の直径は、ほぼ０．００９５ｍであり、前軸２と後軸３とを相対的に回転させる回転トルクは０．０１６７Ｎ・ｍとなっている。
【００１５】
第２例を図８、図９に示し説明する。前例の回転子１９の円弧状の第１段部３３を部分的に形成すると共に、カム筒２０の第１段部３９も部分的に形成した例である。以下、詳述する。回転子１９の中間筒状部３０には、縦方向に切欠部３０ａを形成することによって、部分的に第１段部３３ａが形成されている。具体的には、放射状の等間隔な位置の６箇所に第１段部３３ａが形成されている。
一方、カム筒２０の内面にも切欠部２０ａを形成することによって、部分的に第１段部３９ａが形成されている。具体的には、放射状の等間隔な位置の６箇所に第１段部３９ａが形成されている。尚、このカム筒２０の切欠部２０ａは、前記回転子１９の切欠部３０ａよりも幅が広く形成されているが、常に互いの第１段部３３ａ、３９ａが当接し得るようになっている。
本例のように、第１段部３３ａ、３９ａを部分的に形成することによって、軽量化と材料の節約と言う効果が奏せられる。
【００１６】
第３例を図１０、図１１に示し説明する。回転子１９の大径部３１の略中央部に鍔部４７を形成し、その鍔部４７の下面部を第１段部４８とした例である。即ち、本例においては、前例に相当する中間筒状部３０が形成されていない。そして、その第１段部４７をカム筒２０の後端面部４９に当接させている。
一方、そのカム筒２０の後方の内面には、前例の円弧状の突起３８に相当する内面突起５０が形成されている。勿論、その内面突起５０は、前記回転子１９の大径部３１の段部３１ａと当接が可能なものとなっている。
本例のように、回転子１９の段部３１ａをカム筒２０の内側に位置させると共に、その段部３１ａと当接するカム筒２０の突起５０をそのカム筒２０内に形成することによって、大径部３０や突起５０の変形が防止されることになる。
【符号の説明】
【００１７】
１      軸筒
２      前軸
３      後軸
４      筆記体
５      前端開口部
６      弾撥部材
７      継ぎ手部材
８      雄ねじ
９      リング
１０    リング部材
１１    突起
１２    内面鍔部
１３    頭冠止め
１４    外面鍔部
１５    雄ねじ
１６    頭冠
１７    クリップ
１８    基部
１９    回転子
２０    カム筒
２１    雄ねじ
２２    摺動子
２３    前部筒状部
２４    後部筒状部
２５    カム面
２６    凹部
２７    ガイド棒
２８    突起
２９    円周段部
３０    中間筒状部
３１    大径筒状部
３３    第１段部
３４    第２段部
３５    切欠部
３６    拡径部
３７    第１段部
３８    突起
３９    非円弧部
４０    摺動溝
４１    大径部
４２    突起
４３    膨出部
４４    円弧部
４５    スリット
４６    溝
４７    第１段部
４８    突起
４９    後端面部
５０    突起
【図１】
2010194721.tif 000003
【図２】
2010194721.tif 000004
【図３】
2010194721.tif 000005
【図４】
2010194721.tif 000006
【図５】
2010194721.tif 000007
【図６】
2010194721.tif 000008
【図７】
2010194721.tif 000009
【図８】
2010194721.tif 000010
【図９】
2010194721.tif 000011
【図１０】
2010194721.tif 000012
【図１１】
2010194721.tif 000013